(57)【要約】【課題】梁材に梁下取付部材を安定して取り付けることを可能とする部材係止具及び部材係止具付き枠体を提供する。【解決手段】部材係止具１は、建築物に用いられる天井ボード３が突き当たる位置に取り付けられる内壁パネル２と建築物の骨格を成す梁材４のフランジ４０とを連結するためものである。部材係止具１は、底部１０ａと、折り返し部１０ｅ及び繋ぎ部１０ｂと、を備える。底部１０ａは、内壁パネル２に固定される。折り返し部１０ｅ及び繋ぎ部１０ｂは、フランジ４０の少なくとも一部を囲んで、フランジ４０に連結された状態において上方に突出して形成されている。【選択図】図４
2016069955.tif 000002
【特許請求の範囲】
【請求項１】
建築物に用いられる天井ボードが突き当たる位置に取り付けられる梁下取付部材と前記建築物の骨格を成す梁材のフランジとを連結するための部材係止具であって、
前記梁下取付部材に固定される固定部と、
前記梁下取付部材に取り付けられ、前記フランジの少なくとも一部を囲んで、前記フランジに連結された状態において上方に突出する囲繞部と、を備えることを特徴とする部材係止具。
【請求項２】
前記囲繞部と前記固定部とは、全体として断面コの字状に形成されており、前記部材係止具が前記フランジに取り付けられる状態において前記断面コの字状の開放側が上方に向いていることを特徴とする請求項１に記載の部材係止具。
【請求項３】
前記固定部と前記囲繞部とは、板材が折り曲げられて形成されることを特徴とする請求項１又は２に記載の部材係止具。
【請求項４】
請求項１乃至３のいずれか一項に記載の部材係止具と前記梁下取付部材とを備え、
前記梁下取付部材における前記フランジに取り付けられる側の外枠に前記部材係止具が固定されていることを特徴とする部材係止具付き枠体。
【請求項５】
前記梁下取付部材は、前記固定部と前記外枠との間に介在して前記固定部に固定される介在部と、該介在部と前記外枠との固定位置を決定する位置決め部と、を有することを特徴とする請求項４に記載の部材係止具付き枠体。
【発明の詳細な説明】
【技術分野】
【０００１】
本発明は、部材係止具及び部材係止具付き枠体に係り、特に建物の梁材に梁下取付部材を取り付ける際に用いられる部材係止具及び梁材に取り付けられる部材係止具付き枠体に関する。
【背景技術】
【０００２】
住宅等の建物の梁材に内壁パネル又は外壁パネルを取り付ける際に、その取り付けを容易にするため、部材係止具を用いる技術が知られている（特許文献１）。
詳細には、部材係止具（同文献においては、ランナ固定金物と記載。）は、Ｈ型鋼等から成る梁材のフランジの上下面を、部材係止具が有するクリップ状の係合部で挟み込むようにして係合させて、パネルを取り付けるものである。
【０００３】
特許文献１に記載された部材係止具によれば、容易に梁材にパネルを取り付けることができる一方で、部材係止具は、複数の折り曲げ部材を組み合わせて構成されているため、その製造が困難であり高コストになるという問題があった。
そこで、部材係止具を低コストで作製できるようにするために、１枚の板を折り曲げて形成することが提案されている（特願２０１３−１３３４７０号）。
【０００４】
特願２０１３−１３３４７０号に記載された部材係止具１００によれば、図８に示すように、部材係止具１００が内壁パネル２００の上枠２０１に固定されており、梁材４００のフランジ４０１に押圧部１０１を挟み込むことで、内壁パネル２００と梁材４００とを連結できる。また、内壁パネル２００の上枠２０１と天井ボード３００の枠体３０１とはネジによって結合されている。
【先行技術文献】
【特許文献】
【０００５】
【特許文献１】特開２００８−５７１３６号公報
【発明の概要】
【発明が解決しようとする課題】
【０００６】
内壁パネル２００との嵌め合わせが可能なように、天井ボード３００はマイナス公差で形成されていることが多い。
このため、内壁パネル２００その他の梁下取付部材の上枠２０１と天井ボード３００の枠体３０１とをネジによって結合する際に、ネジによって、部材係止具１００の押圧部１０１の挟持による摩擦力を上回る水平方向の荷重が生じて、内壁パネル２００が傾斜してしまうことがあった。
一方、このように内壁パネル２００が傾斜しないように、梁材４００に部材係止具１００をボルト・ナットによって取り付けることも考えられるが、パネル取付けの作業の手間が増えてしまい作業効率が低下してしまっていた。
【０００７】
本発明は、上記の課題に鑑みてなされたものであり、本発明の目的は、梁材に梁下取付部材を安定して取り付けることを可能とする部材係止具、及び梁材に安定して取り付けられる部材係止具付き枠体を提供することにある。他の目的としては、梁下取付部材の梁材への取付作業の効率を向上させることにある。
【課題を解決するための手段】
【０００８】
前記課題は、本発明に係る部材係止具によれば、建築物に用いられる天井ボードが突き当たる位置に取り付けられる梁下取付部材と前記建築物の骨格を成す梁材のフランジとを連結するための部材係止具であって、前記梁下取付部材に固定される固定部と、前記梁下取付部材に取り付けられ、前記フランジの少なくとも一部を囲んで、前記フランジに連結された状態において上方に突出する囲繞部と、を備えることにより解決される。
【０００９】
上記構成によれば、梁下取付部材に固定される固定部と、フランジの少なくとも一部を囲んで、梁下取付部材に取り付けられてフランジに連結された状態で上方に突出する囲繞部と、を部材係止具が備え、囲繞部によって、フランジの少なくとも一部を囲むことができることで、梁下取付部材における固定部に固定された部位の移動を、囲繞部と梁材のフランジが当接する範囲内に抑えることができ、梁下取付部材を梁材に安定して取り付けることができる。
【００１０】
また、前記囲繞部と前記固定部とは、全体として断面コの字状に形成されており、前記部材係止具が前記フランジに取り付けられる状態において前記断面コの字状の開放側が上方に向いているものでもよい。
上記構成によれば、コの字状の開放側が上方に向いていることで、梁下取付部材と梁材との隙間がある場合においても、囲繞部でフランジを囲みやすくなり、梁下取付部材と梁材のフランジとを連結するための上下方向における寸法の許容範囲を広くすることができ、取付作業の効率を向上させることができる。
【００１１】
更に、前記固定部と前記囲繞部とは、板材が折り曲げられて形成されるものでもよい。
上記構成によれば、前記固定部と前記囲繞部とが、板材が折り曲げられて形成されるものであるため製造が容易である。
【００１２】
また、前記課題は、本発明に係る部材係止具付き枠体によれば、前記部材係止具と前記梁下取付部材とを備え、前記梁下取付部材における前記フランジに取り付けられる側の外枠に前記部材係止具が固定されていることにより解決される。
【００１３】
上記構成によれば、部材係止具付き枠体は、部材係止具と梁下取付部材とを備え、梁下取付部材におけるフランジに取り付けられる側の外枠に部材係止具が固定されているため、梁下取付部材を梁材に安定して容易に取り付けることができる。
【００１４】
更に、前記梁下取付部材は、前記固定部と前記外枠との間に介在して前記固定部に固定される介在部と、該介在部と前記外枠との固定位置を決定する位置決め部と、を有するものであると好ましい。
上記構成によれば、梁下取付部材が、介在部と位置決め部とを有し、位置決め部によって介在部材と外枠とを任意の位置で固定することで、梁下取付部材の建ち角度を調整することができ、作業の効率を向上させることができる。
【発明の効果】
【００１５】
本発明によれば、梁下取付部材を梁材に安定して取り付けることができる。
また、本発明によれば、梁下取付部材の梁材への取付作業の効率を向上させることができる。
【図面の簡単な説明】
【００１６】
【図１】本発明の一実施形態に係る部材係止具付き枠体を梁材に取り付ける前の状態を示す斜視図である。
【図２】部材係止具付き枠体を梁材に取り付けた状態を示す斜視図である。
【図３】図２におけるIII-III断面を模式的に示す断面図である。
【図４】第１実施形態に係る部材係止具の近傍を拡大して示す断面図である。
【図５】固定調整部を示す断面図である。
【図６】第２実施形態に係る部材係止具の近傍を拡大して示す断面図である。
【図７】第２実施形態に係る部材係止具を示す斜視図である。
【図８】比較例に係る部材係止具の近傍を拡大して示す断面図である。
【発明を実施するための形態】
【００１７】
以下、建物の梁材に取り付けられる本発明の一実施形態に係る部材係止具及び部材係止具付き枠体について、図面を参照しながら説明する。
【００１８】
＜第１実施形態＞
まず、図１及び図２を参照して、部材係止具１の用途について説明する。ここで、図１は、部材係止具付き枠体Ｘを梁材４に取り付ける前の状態を示す斜視図、図２は、部材係止具付き枠体Ｘを梁材４に取り付けた状態を示す斜視図である。
図１に示すように、建築物の骨格を成すＨ型鋼から成る梁材４に取り付けられる対象である本実施形態に係る内壁パネル２は、格子状を成す木材等から成る部材である。
【００１９】
図示せぬ建物の内壁パネル２の上面には、後述する部材係止具１が２個、間隔を空けて固定されている。なお、部材係止具１が固定された内壁パネル２を部材係止具付き枠体Ｘともいう。
内壁パネル２の梁材４への取り付けは、例えば図１に示すように、下枠２０ａを支点として内壁パネル２を起ち上げ、部材係止具１を梁材４のフランジ４０に係止させることで、簡単になされる。詳細には、内壁パネル２を起ち上げ、部材係止具１を先にフランジ４０に係止させ、内壁パネル２の上端位置を確定した後に、内壁パネル２の下枠２０ａを床材５（図３参照）に固定することで、内壁パネル２は梁材４及び床材５に取り付けられる。
【００２０】
なお、内壁パネル２は、任意位置に桟木を備えるようにしてもよく、ランマパネル付きのもの、グラスウール等の断熱材、その他防湿シート等を一体的に備えるものであってもよい。このように、複数の部材を内壁パネル２が備えるものとして、現場に運搬する前に工場にてこれらを組み付けることで、部材係止具１を用いて梁材４に一度に取り付けることができる。このため、現場での取付手間を大幅に削減でき、作業性が高まることとなる。
【００２１】
次に、図３及び図４を参照して、第１実施形態に係る部材係止具１の構成について説明する。ここで、図３は、図２におけるIII-III断面を模式的に示す断面図、図４は、部材係止具１の近傍を拡大して示す断面図である。
部材係止具１は、上記のように梁材４のフランジ４０に係止して、内壁パネル２を梁材４に連結するためのものであり、内壁パネル２の上枠２０に固定されている。
詳細には、部材係止具１は、底部１０ａと、底部１０ａの一側（室外側）の端部に形成された折り返し部１０ｅと、底部１０ａの他側（室内側）の端部に形成された繋ぎ部１０ｂと、繋ぎ部１０ｂの上側端部から折り返された押圧部１０ｃとから構成される。
【００２２】
部材係止具１の各部位について詳細に説明すると、底部１０ａは、本発明に係る固定部に相当し、内壁パネル２の上枠２０にネジ１２によって固定されている。
【００２３】
折り返し部１０ｅは、底部１０ａの一側の端部から外側斜め上方に立ち上がるように形成されている。なお、折り返し部１０ｅは、斜めに上方に立ち上がるものに限定されず、例えば、部材係止具１ごと内壁パネル２を傾けることによって、フランジ４０の底部１０ａが当接するように取り付けることができれば、底部１０ａから垂直に形成されたものでもよい。
【００２４】
繋ぎ部１０ｂは、底部１０ａの他側（室内側）の端部から略垂直に立ち上がるように形成されている。繋ぎ部１０ｂは、折り返し部１０ｅとともに本発明に係る囲繞部に相当するものであり、折り返し部１０ｅとの間で梁材４のフランジ４０を幅方向（長手方向に連続する梁材４の幅方向、換言すると短手方向、と同じ方向を意味する。以下同じ。）において囲み、フランジ４０に当接することによって内壁パネル２の移動を制限するものである。繋ぎ部１０ｂは、この機能確保のため、折り返し部１０ｅの折り目部分からフランジ４０の幅方向長さよりも若干大きな距離を空けて形成されている。
【００２５】
押圧部１０ｃは、底部１０ａとの間でフランジ４０を厚み方向に弾性力によって挟持するように、底部１０ａとの間隔が狭くなるように延在している。そして、押圧部１０ｃの中央部分には、繋ぎ部１０ｂ側、且つ、底部１０ａ側に延在する舌状押圧片１０ｄが下方に切り起こされて形成されている。このように、舌状押圧片１０ｄが形成されていることによって、底部１０ａとの間でフランジ４０を挟持可能な範囲を広くできるとともに、押圧部１０ｃの弾性力を大きくすることができる。なお、部材係止具１の各部位は、一枚の板を折り曲げて形成することができるため製造が容易である。
【００２６】
このように形成された部材係止具１又は部材係止具付き枠体Ｘによって、天井ボード３と内壁パネル２とを図示せぬネジで締結することによる天井ボード３側に向かう力が内壁パネル２にかかるときに内壁パネル２が傾斜することを制限することができる。具体的には、この力がかかるときに、部材係止具１の折り返し部１０ｅが梁材４のフランジ４０の側面に当接することで、内壁パネル２の上端の天井ボード３側への移動を制限することができる。
【００２７】
このように、繋ぎ部１０ｂと折り返し部１０ｅとでフランジ４０を囲むことで内壁パネル２の移動を制限できる。しかしながら、繋ぎ部１０ｂと折り返し部１０ｅとの間の距離がフランジ４０の幅方向長さよりも大きい場合には、天井ボード３から引き寄せられる力によって、内壁パネル２が鉛直面に対して傾斜してしまうことがある。
そこで、部材係止具１は、図５に示して次に説明する、固定調整部２１を備えることによって、内壁パネル２の傾斜を調整な可能な構成であると、内壁パネル２の傾斜を調整できるため好適である。固定調整部２１は、内壁パネル２の上枠２０と部材係止具１の底部１０ａとの間に介在する介在部２１ａと、介在部２１ａと上枠２０とを固定するビス２１ｂと、を備える。
【００２８】
介在部２１ａは、後述する木ねじ又は鋼製等のビス２１ｂを差し込むことが可能な強度の木材等の材料からなるブロック状のものである。また、介在部２１ａは、内壁パネル２の上枠２０上に、下方から上枠２０を貫通するビス２１ｂによって固定されており、部材係止具１にネジ１２によって固定されている。
【００２９】
例えば、上記のように天井ボード３側に引き寄せる力が内壁パネル２に加わって、内壁パネル２の上端部が天井ボード３側に移動したときには、内壁パネル２の傾斜を調整する必要がある。この場合に、固定調整部２１によれば、上枠２０を天井ボード３から離れる側に移動させ、内壁パネル２が略鉛直に立ち上がるように位置を調整して決定した上で、上枠２０を貫通して介在部２１ａに至るようにビス２１ｂをねじ込むようにすればよい。  なお、一度ビス２１ｂを介在部２１ａにねじ込んだ後においても内壁パネル２が略鉛直ではない場合には、ビス２１ｂを介在部２１ａから抜き出して、ねじ込み位置を変えて再度ねじ込み直すようにして内壁パネル２の傾斜角度を微調整することができる。
【００３０】
このような構成によれば、介在部２１ａは、これに固定された部材係止具１がフランジ４０によって位置を規制されているため位置の変動が少ない。そして、内壁パネル２は、鉛直な姿勢となるように、介在部２１ａとの相対的な位置を固定調整部２１によって調整可能となる。
【００３１】
なお、介在部２１ａは、内壁パネル２上に取り付けられる部材係止具１の延在方向よりも若干大きめの長さで形成されている。つまり、内壁パネル２上に２個取り付けられる部材係止具１に対応して、上枠２０に２個、間隔を空けて取り付けられている。このように介在部２１ａが間隔を空けて取り付けられていることで、その間に配線等を通すことが可能となる。
【００３２】
＜第２実施形態＞
上記実施形態においては、部材係止具１の底部１１ａと押圧部１０ｃとでフランジ４０を挟み込むことで、内壁パネル２の上下方向の振れを抑えるとともに、内壁パネル２の天井ボード３に近接離間する方向への移動に対する摩擦力を生じさせることができる。しかしながら、このような構成は、底部１０ａとフランジ４０とが当接するように、フランジ４０と部材係止具１の位置が略一致していなければならない。このため、内壁パネル２又は部材係止具１の寸法調整が必要な場合があり作業効率が低下することがある。
【００３３】
そこで、図６及び図７に示すように、第２実施形態に係る部材係止具１ａのように、内壁パネル２の上下方向の移動を許容する構成を採用してもよい。ここで、図６は、部材係止具１ａの近傍を拡大して示す断面図、図７は、部材係止具１ａを示す斜視図である。
【００３４】
なお、以下において、部材係止具１ａにおいて、第１実施形態に係る部材係止具１の構成の差異を明確にするため、これと同じ構成については重複した説明を省略する。
【００３５】
部材係止具１ａは、板状の底部１１ａと、底部１１ａの両側から折り曲げられて垂直に延在する側部１１ｂと、を備えて断面コの字状を成して形成されている。このように、側部１１ｂは底部１１ａから折り曲げられて形成されているため製造が容易である。
底部１１ａは、フランジ４０の幅と略同じ幅で形成されており、介在部２１ａに固定されている。
側部１１ｂは、本発明に係る囲繞部に相当し、底部１１ａの上面から側部１１ｂの上端までの高さがフランジ４０の厚みよりも十分に大きくなるように形成されている。
また、上記のように側部１１ｂがフランジ４０の厚みに対して大きく形成された分、介在部２１ａとフランジ４０の位置に隙間がある場合でも、水平面上で、側部１１ｂがフランジ４０に重なりやすくなる。つまり、内壁パネル２と梁材４のフランジ４０とを連結するための上下方向における寸法の許容範囲を広くすることができる。
このため、水平方向における内壁パネル２の上端の移動をフランジ４０によって規制することができ、内壁パネル２の鉛直面に対する傾斜を防止することができる。
【００３６】
更に、上記において説明した介在部２１ａが取り付けられることによって配線スペースを確保する方法を取らずとも、底部１１ａとフランジ４０との間に隙間を形成することでスペースを確保することが可能となる。つまり、部材係止具１ａが、図４に示すように内壁パネル２の上枠２０に直接固定されている場合であっても、底部１１ａとフランジ４０との間に隙間を形成してもよいため、その隙間を利用して配線を通すことが可能となる。
【００３７】
上記の実施形態は、本発明の理解を容易にするためのものであり、本発明を限定するものではない。本発明は、その趣旨を逸脱することなく、変更、改良され得ると共に、本発明には各実施形態の特徴を組み合わせたもの、その等価物が含まれることは勿論である。
【００３８】
例えば、部材係止具が固定される対象は、内壁パネルに限定されず、内壁の一部である棒材、鉛直に立ち上がる板材であってもよい。
【００３９】
なお、部材係止具は、内壁パネルの上枠に２個固定されているものとして説明したが、その個数は任意であり、これらの大きさ等に応じてその個数を増減するようにしてもよい。
【符号の説明】
【００４０】
１，１ａ  部材係止具
２  内壁パネル（梁下取付部材）
３  天井ボード
４  梁材
５  床材
１０ａ  底部（固定部）
１０ｂ  繋ぎ部（囲繞部）
１０ｃ  押圧部
１０ｄ  舌状押圧片
１０ｅ  折り返し部（囲繞部）
１１ａ  底部（固定部）
１１ｂ  側部（囲繞部）
１２  ネジ
２０  上枠（外枠）
２０ａ  下枠
２１  固定調整部
２１ａ  介在部
２１ｂ  ビス（位置決め部）
３０  枠体
４０  フランジ
１００  部材係止具
２００  内壁パネル
２０１  上枠
３００  天井ボード
３０１  枠体
４００  梁材
４０１  フランジ
Ｘ  部材係止具付き枠体
【図１】
2016069955.tif 000003
【図２】
2016069955.tif 000004
【図３】
2016069955.tif 000005
【図４】
2016069955.tif 000006
【図５】
2016069955.tif 000007
【図６】
2016069955.tif 000008
【図７】
2016069955.tif 000009
【図８】
2016069955.tif 000010